(57)【特許請求の範囲】
【請求項１】
多重深ヒダ笠の下面に耐塩皿を設けた耐塩雪高圧ピンがいしであって、耐塩皿を上部が開いた形状として着雪を防止するとともに、外笠全体あるいはその下端を外側に張り出し、外笠下端部の内面と耐塩皿の外面との間に、（２．０×Ｖ＋２０）ｍｍ以上の距離Ｄ（但しVは使用電圧、単位はｋＶ）を確保したことを特徴とする耐塩雪高圧ピンがいし。
【請求項２】
耐塩皿の上端に外向きリブを設けた請求項１記載の耐塩雪高圧ピンがいし。
【請求項３】
耐塩皿の側面全体を外側に湾曲させた請求項１記載の耐塩雪高圧ピンがいし。
【発明の詳細な説明】
【０００１】
【発明の属する技術分野】
本発明は、降雪地帯の海岸付近の配電線に用いられる耐塩雪高圧ピンがいしに関するものである。
【０００２】
【従来の技術】
海岸付近の高圧配電線を絶縁支持する高圧ピンがいしとして、従来から図６に示すような耐塩構造のものが用いられている。この耐塩高圧ピンがいしは、多重深ヒダ笠１の下面に耐塩皿２を設けたもので、全体は中心ピン３により電柱アーム４に固定されている。多重深ヒダ笠１は外笠５の内側に内リブ６を備えており、耐塩皿２の上部は外笠５と内リブ６との間に挿入されている。
【０００３】
この耐塩皿２はがいし下方からの風の巻き込みによる笠裏面への塩分付着を防止しており、また多重深ヒダ笠１は表面漏洩距離を長くすることができるため、塩分を含んだ風が吹きつけてがいしに塩分が付着した場合にも、十分な絶縁特性を維持することができるようになっている。
【０００４】
ところがこのような従来の耐塩高圧ピンがいしを降雪地帯の海岸付近に使用すると、強風時、塩分を含んだ雪が耐塩皿２の側面に付着し、多重深ヒダ笠１との間が橋絡して汚損閃絡電圧特性が低下することがある。このため降雪地帯の海岸付近ではむしろ耐塩皿２のない普通の高圧ピンがいしの方が着雪の影響を受けにくいため好ましいと言われている。しかし、冬季を除けば耐塩皿２のある耐塩高圧ピンがいしの方が好ましいことは明らかであり、着雪の影響をさけるために耐塩皿２のない普通の高圧がいしを用いると、がいし下方からの風の巻き込みによる笠裏面への塩分付着を防止できないというなやみがあった。
【０００５】
【発明が解決しようとする課題】
本発明は上記した従来の問題点を解決して、がいし下方からの風の巻き込みによる笠裏面への塩分付着を防止することができ、しかも塩分を含んだ雪が吹き付けた場合にも十分な汚損閃絡電圧特性を維持することができる耐塩雪高圧ピンがいしを提供するためになされたものである。
【０００６】
【課題を解決するための手段】
上記の課題を解決するためになされた本発明は、多重深ヒダ笠の下面に耐塩皿を設けた耐塩雪高圧ピンがいしであって、耐塩皿を上部が開いた形状として着雪を防止するとともに、外笠全体あるいはその下端を外側に張り出し、外笠下端部の内面と耐塩皿の外面との間に、（２．０×Ｖ＋２０）ｍｍ以上の距離Ｄ（但しVは使用電圧、単位はｋＶ）を確保したことを特徴とするものである。
【０００７】
なお、耐塩皿の上端に外向きリブを設けた構造や、耐塩皿の側面全体を外側に湾曲させた構造とすることができる。
【０００８】
本発明の耐塩雪高圧ピンがいしは、多重深ヒダ笠の下面に耐塩皿を設けた構造としたので、従来と同様にがいし下方からの風の巻き込みによる笠裏面への塩分付着を防止することができる。また耐塩皿を上部が開いた形状として着雪を防止するとともに、外笠の形状を工夫することにより外笠下端部の内面と耐塩皿の外面との間に所定の距離Ｄを確保したので、仮に着雪があっても十分な汚損閃絡電圧特性を維持することができる。したがって、降雪地帯の海岸付近の配電線を絶縁支持させるに適したものである。
以下に本発明の好ましい実施形態を示す。
【０００９】
【発明の実施の形態】
（第１の実施形態）
図１は本発明の第１の実施形態を示す断面図であり、この耐塩雪高圧ピンがいしも図６に示した従来品と同様、磁器質の多重深ヒダ笠１０の下面に同じく磁器質の耐塩皿１１を設け、その全体を中心ピン１２により電柱アーム１３に固定する構造としたものである。また多重深ヒダ笠１０は外笠１４と内リブ１５を備えており、耐塩皿１１の上部が外笠１４と内リブ１５との間に挿入されている点でも従来品と共通する。
【００１０】
しかし本発明では、耐塩皿１１はその上部が開いた形状として着雪を防止する効果を持たせてある。すなわちこの実施形態では、耐塩皿１１の側壁を従来品よりもやや大きい角度で外側に傾斜させてある。この結果、耐塩皿の側壁をほぼ垂直とした従来品よりも、着雪が落下しやすくなるとともに、下側からの風の巻き込みを抑制する効果が増加する。
【００１１】
また、多重深ヒダ笠１０の外笠１４の下端を大きく外側に張り出し、外笠１４の下端部の内面と耐塩皿１１の側壁外面との距離Ｄを従来品よりも大きくしてある。６．６ｋＶの高圧配電線に使用される従来型の耐塩高圧ピンがいしではこの距離Ｄは約２０ｍｍとなっているが、本発明の耐塩雪高圧ピンがいしではこの距離Ｄとして、（使用電圧Ｖによって定まる所定空間ギャップＧ＋２０ｍｍ）以上の距離を確保してある。
【００１２】
一般には空気の絶縁強度を１０ｍｍ当たり２０ｋＶ（商用周波電圧実効値）と評価するが、これは平等電界下における乾燥空気の絶縁強度であり、湿潤状態ではその半分、がいし内側の不平等電界下では更にその半分となる。したがって、使用電圧である６．６ｋＶを単純にこの関係に当てはめると、約１３ｍｍの空気層があればよいこととなり、従来品は更にその１．５倍の安全率を見込んで設計されていたこととなる。
【００１３】
しかし塩分を含んだ雪が吹き付けた場合には、この２０ｍｍの距離Ｄでは不十分であり、本発明者等は実験によりその理由を解明した。すなわち、降雪時には図２に示すように耐塩皿１１の風上側の側壁に着雪層２０が形成され、その厚みは最大で１０ｍｍに達する。また、外笠１４の上にも当然ながら着雪するが、外笠１４の表面には微弱な漏洩電流が流れているためにそのジュール熱により外笠１４の表面と接している部分の雪が融けて水滴となり、外笠１４の下端部から滴下する。ところが風によりこの水滴が横向きに飛ばされ、図２に示すように風上側の外笠１４の下端部からは耐塩皿１１に向かう横向きの水滴２１となる。その長さは最大で１０ｍｍに達する。
【００１４】
このように、耐塩皿１１の風上側の側壁に１０ｍｍの着雪層２０が形成され、風上側の外笠１４の下端部から耐塩皿１１に向かう長さ１０ｍｍの水滴２１があると両者は橋絡してしまい、閃絡事故に至る可能性があることが明らかとなった。
【００１５】
そこで本発明では、外笠１４の下端部の内面と耐塩皿１１の側壁外面との距離Ｄとして、着雪層２０の最大値と水滴２１の最大値とを合計した２０ｍｍに更に使用電圧Ｖによって定まる所定空間ギャップＧを足し合わせた距離を確保するようにした。ここで使用電圧Ｖによって定まる所定空間ギャップＧは、Ｇ＝２．０×Ｖ（単位ｍｍ、但し使用電圧Ｖの単位はｋＶ）として決定すればよく、６．６ｋＶの高圧配電線に用いられるがいしの場合には約１３ｍｍとなり、２２ｋＶの特別高圧配電線に用いられるがいしの場合には約４４ｍｍとなる。
【００１６】
このため、使用頻度の高い６．６ｋＶの高圧配電線用の場合には距離Ｄとして最低３３ｍｍを確保すればよいが、安全率を見込んでそれよりも更に長い距離をとることはもちろん可能である。しかしこの距離Ｄを長くすると次第に外笠１４の下端径が大きくなり、ついには図３に示すように上面に積もった雪が電柱アーム１３と繋がるおそれがある。このため、６．６ｋＶの高圧配電線用の場合、この距離Ｄは３５〜６０ｍｍ程度とすることが好ましい。
【００１７】
以上に説明したように、第１の実施形態の耐塩雪高圧ピンがいしは、多重深ヒダ笠１０の下面に上部が開いた耐塩皿１１を設けた構造としたので、下方からの風の巻き込みによる笠裏面への塩分付着を防止することができるとともに、外笠下端部の内面と耐塩皿１１の外面との間に所定の距離Ｄを確保したので、仮に着雪があってもなお十分な絶縁空気層を残すことができ、汚損閃絡電圧特性を維持することができる。
【００１８】
（第２の実施形態）
次に図４に示す第２の実施形態では、耐塩皿１１の上端に外向きリブ１６を設けて下方からの風の巻き込みをより確実に防止し、笠裏への塩分付着を防止するとともに、耐塩皿１１の着雪が落下しやすいようにしている。なお第２の実施形態では外笠１４の肩を大きく張り出して外笠１４と耐塩皿１１との間に広い空間を確保し、また外笠１４の下端部の内面と耐塩皿１１の側壁外面との距離Ｄを第１の実施形態と同様に確保することにより、着雪と水滴による橋絡を防止している。
【００１９】
（第３の実施形態）
図５に示す第３の実施形態では、耐塩皿１１の側面全体を外側にラッパ状に湾曲させて、下方からの風の巻き込みを防止するとともに、耐塩皿１１の側面の着雪がより速やかに落下するようにした。また外笠１４は大きく丸みを付け、外笠１４の下端部の内面と耐塩皿１１の側壁外面との距離Ｄを第１の実施形態と同様に確保している。これらの第２、第３の実施形態の耐塩雪高圧ピンがいしも、第１の実施形態について説明したと同様の効果を得ることができる。
【００２０】
【発明の効果】
以上に説明したように、本発明の耐塩雪高圧ピンがいしは、多重深ヒダ笠とその下面に設けた耐塩皿とによって、下方からの風の巻き込みによる笠裏面への塩分付着を防止することができ、また耐塩皿への着雪を防止するとともに、雪が耐塩皿の内部に入り込むことも防止できる。しかも外笠下端部の内面と耐塩皿の外面との間に、（２．０×Ｖ＋２０）ｍｍ以上の距離を確保したことにより、塩分を含んだ雪が吹き付けた場合にも十分な汚損閃絡電圧特性を維持することができるので、降雪地帯における海岸付近の高圧配電線を絶縁支持する高圧ピンがいしとして適したものである。
【図面の簡単な説明】
【図１】本発明の第１の実施形態を示す断面図である。
【図２】要部の拡大断面図である。
【図３】外笠径を過大としたときの問題点を示す断面図である。
【図４】本発明の第２の実施形態を示す断面図である。
【図５】本発明の第３の実施形態を示す断面図である。
【図６】従来の耐塩高圧ピンがいしを示す断面図である。
【符号の説明】
１ 従来の耐塩高圧ピンがいしにおける多重深ヒダ笠、２ 耐塩皿、３ 中心ピン、４ 電柱アーム、５ 外笠、６ 内リブ、１０ 本発明の耐塩雪高圧ピンがいしにおける多重深ヒダ笠、１１ 耐塩皿、１２ 中心ピン、１３ 電柱アーム、１４ 外笠、１５ 内リブ、１６ 耐塩皿上端の外向きリブ、２０ 耐塩皿側面への着雪層、２１ 水滴
【図１】
0004233001.tif 000002
【図２】
0004233001.tif 000003
【図３】
0004233001.tif 000004
【図４】
0004233001.tif 000005
【図５】
0004233001.tif 000006
【図６】
0004233001.tif 000007